(57)【要約】【課題】標準電波の受信性能を低下させずに本体部内に電波時計機能を搭載した血圧計測装置を提供する。【解決手段】センサ搭載面およびセンサ非実装面を有する基板４１には、圧力センサが搭載されている。電波時計の時刻情報を含む標準電波を受信するアンテナ３１が搭載されている。アンテナ３１は、棒状の磁性体コアと、磁性体コアに巻回されたコイルとを含む。ポンプ１６は、モータの軸線方向ＣＬ２と磁性体コアの延在方向ＣＬ１とが略直交するように配置されている。基板４１および基板４２は、基板４１のセンサ非実装面と基板４２のアンテナ搭載面とが対向するように配置されている。【選択図】図４
2010057628.tif 000002
【特許請求の範囲】
【請求項１】
被測定者の血圧測定部位に装着され、気体が充填される気体袋を有するカフと、
前記気体袋に気体を移送させるポンプと、
前記気体袋から排出される気体流量を制御する流量コントロール弁と、
前記気体袋内の圧力を検出する圧力センサと、
センサ搭載面およびセンサ非実装面を有し、前記センサ搭載面に前記圧力センサが搭載された第一基板と、
時刻情報を含む標準電波を受信するアンテナを有し、現在時刻を計時する電波時計と、  アンテナ搭載面およびアンテナ非実装面を有し、前記アンテナ搭載面に前記アンテナが搭載された第二基板とを備え、
前記ポンプは、軸線回りに回転して前記ポンプを作動させるモータを含み、
前記アンテナは、棒状の磁性体コアと、前記磁性体コアに巻回されたコイルとを含み、
前記ポンプは、前記モータの軸線方向と前記磁性体コアの延在方向とが略直交するように配置されており、
前記第一基板および前記第二基板は、前記センサ非実装面と前記アンテナ搭載面とが対向するように、または、前記センサ搭載面と前記アンテナ非実装面とが対向するように配置されている、血圧測定装置。
【請求項２】
前記第二基板は、前記血圧測定装置が設置される設置面に対して平行に配置されている、請求項１に記載の血圧測定装置。
【請求項３】
前記第一基板は、前記第二基板に対して傾斜して配置されている、請求項１または請求項２に記載の血圧測定装置。
【請求項４】
前記第一基板と前記第二基板とは、平行に配置されている、請求項１または請求項２に記載の血圧測定装置。
【請求項５】
前記流量コントロール弁は電磁駆動弁であって、
前記電磁駆動弁によって発生する磁界の方向と前記磁性体コアの延在方向とが直交するように配置されている、請求項１から請求項４のいずれかに記載の血圧測定装置。
【請求項６】
前記流量コントロール弁と前記アンテナとの間に前記第二基板が介在し、
前記流量コントロール弁は、前記アンテナ非実装面と前記流量コントロール弁とが対向するように設置されている、請求項１から請求項５のいずれかに記載の血圧測定装置。
【発明の詳細な説明】
【技術分野】
【０００１】
本発明は、血圧測定装置に関し、特に、電波時計を搭載した血圧測定装置に関する。
【背景技術】
【０００２】
近年、高血圧を要因とする生活習慣病の早期発見や血圧管理を目的として、家庭などにおいて血圧測定装置の使用が広く普及している。血圧は心機能を解析する指標の一つであり、血圧に基づいてリスク解析を行なうことは、たとえば脳出血や脳梗塞などの脳血管系の疾患および心不全や心筋梗塞などの心血管系の疾患を予防する上で有効である。
【０００３】
血圧は個々の身体活動やストレスへの反応、行動様式に対する心血管の反動によって変化し、また、睡眠時に血圧は下降し、覚醒前後に上昇に転ずるという日内変動リズムがある。たとえば、モーニングサージと呼ばれる、起床後１時間から１時間半ぐらいの間に生じる急峻な血圧上昇は、脳卒中との間に因果関係があり、心血管系の疾患のリスク解析を行なうには、血圧変化との相互関係を把握する必要がある。血圧管理の重要性が高まるにつれ、測定者が血圧をいつ測定したかを特定するために、血圧測定装置の時計設定をする重要性が高まっている。
【０００４】
血圧測定装置の時刻設定を容易にするための手段として、電波時計を血圧測定装置に搭載することが考えられる。電波時計は、標準電波を受信して表示時刻の誤差を自動修正し正確な時刻を表示する機能を持つ時計である。電波時計では、内蔵された受信機が標準電波を一定時間ごとに読み取り、自動的に時刻を合わせている。そのため、電波時計が電波を正常に受信できる環境にある限り、手動による時刻合わせなどの手間を省きつつ、秒単位で正確な時刻を知ることができる。
【０００５】
ところで、血圧計測装置内部には、ポンプを駆動するモータ、圧力センサを保護する金属体、カフ内を減圧しカフ圧を調整する弁などの金属物が存在する。電波時計の標準電波の受信機能を血圧測定装置の本体内部に搭載するにあたり、搭載方法によっては金属物が悪影響を及ぼすことにより受信性能が低下する場合がある。受信性能が低下すると時刻に誤差が生じ信頼性が低下するので、受信性能の低下防止が求められている。従来、電波時計における標準電波の受信性能低下を防ぐための種々の技術が提案されている（たとえば、特許文献１および２参照）。
【特許文献１】特開２００７−１３２８２２号公報
【特許文献２】特開２００６−２３４４２６号公報
【発明の開示】
【発明が解決しようとする課題】
【０００６】
特許文献１に記載の技術では、アンテナと複数のモータとの配置方法について種々の考慮がなされているが、金属面に対するアンテナの配置方法は考慮されていない。したがって、金属面にアンテナの指向性面を平行に配置された場合、受信感度低下を伴う恐れがある。また、特許文献２に記載の技術では、アンテナのコア軸方向の傾きを調整する構成を採用した場合、指向特性は改善されるが、構成が複雑になり部品数および単価が増加することになる。
【０００７】
本発明は上記の問題に鑑みてなされたものであり、その主たる目的は、電波時計の標準電波の受信性能を低下させずに、血圧計測装置の本体部内に電波時計機能を搭載する構成を実現させた、血圧計測装置を提供することである。
【課題を解決するための手段】
【０００８】
本発明に係る血圧計測装置は、カフと、ポンプと、流量コントロール弁と、圧力センサと、第一基板と、電波時計と、第二基板とを備える。カフは、被測定者の血圧測定部位に装着される。カフは、気体が充填される気体袋を有する。ポンプは、気体袋に気体を移送させる。流量コントロール弁は、気体袋から排出される気体流量を制御する。圧力センサは、気体袋内の圧力を検出する。第一基板は、センサ搭載面と、センサ搭載面の裏面であるセンサ非実装面とを有する。センサ搭載面には、圧力センサが搭載されている。電波時計は、時刻情報を含む標準電波を受信するアンテナを有し、現在時刻を計時する。第二基板は、アンテナ搭載面と、アンテナ搭載面の裏面であるアンテナ非実装面とを有する。アンテナ搭載面には、アンテナが搭載されている。ポンプは、モータを含む。モータは、軸線回りに回転してポンプを作動させる。アンテナは、棒状の磁性体コアと、磁性体コアに巻回されたコイルとを含む。ポンプは、モータの軸線方向と磁性体コアの延在方向とが略直交するように配置されている。第一基板および第二基板は、第一基板のセンサ非実装面と第二基板のアンテナ搭載面とが対向するように、または、第一基板のセンサ搭載面と第二基板のアンテナ非実装面とが対向するように配置されている。
【０００９】
ここで、モータの軸線方向と磁性体コアの延在方向とが直交するように、つまり、これら二方向が９０°の角度を形成して交差するようにポンプが配置されていれば、電波時計の標準電波の受信性能を低下させない効果をより効率的に得ることができるので、最も好ましい。しかし、モータの軸線方向と磁性体コアの延在方向とが形成する角度が厳密に９０°でなく、９０°から僅かに外れた角度であっても、電波時計の標準電波の受信性能を低下させない効果を同様に得ることができる。つまり、略直交とは、モータの軸線方向と磁性体コアの延在方向とが９０°の角度を形成して交差する場合を含み、また、モータの軸線方向と磁性体コアの延在方向とが９０°ではないが９０°に近い角度を形成するように交差する場合を含むものとする。たとえば、モータの軸線方向と磁性体コアの延在方向とは、８０°以上１００°以下の範囲の角度を形成するように交差していれば好ましく、８５°以上９５°以下の範囲の角度を形成するように交差していればより好ましい。
【００１０】
上記血圧測定装置において好ましくは、第二基板は、血圧測定装置が設置される設置面に対して平行に配置されている。この場合、第二基板は設置面に対して厳密に平行に（つまり、第二基板と設置面とが形成する角度が０°であるように）第二基板が配置していれば最も好ましい。ただし、平行に配置とは、第二基板と設置面とが厳密に平行ではないが平行に近くなるように配置されている場合を含むものとする。たとえば、第二基板と設置面とが０°以上１０°以下の範囲の角度を形成するように配置されていれば好ましく、０°以上５°以下の範囲の角度を形成するように配置されていればより好ましい。
【００１１】
上記血圧測定装置において、第一基板は第二基板に対して傾斜して配置されていてもよい。また、第一基板と第二基板とは、平行に配置されていてもよい。
【００１２】
また、流量コントロール弁は電磁駆動弁であって、電磁駆動弁によって発生する磁界の方向と磁性体コアの延在方向とが直交するように血圧測定装置が配置されていてもよい。
【００１３】
また、流量コントロール弁とアンテナとの間に第二基板が介在し、流量コントロール弁は、第二基板のアンテナ非実装面と流量コントロール弁とが対向するように設置されていてもよい。
【発明の効果】
【００１４】
本発明によれば、血圧測定装置の本体部内に搭載された電波時計の、標準電波の受信性能の低下を抑制することができる。
【発明を実施するための最良の形態】
【００１５】
以下、図面に基づいてこの発明の実施の形態を説明する。なお、以下の図面において、同一または相当する部分には同一の参照番号を付し、その説明は繰返さない。
【００１６】
なお、以下に説明する実施の形態において、各々の構成要素は、特に記載がある場合を除き、本発明にとって必ずしも必須のものではない。また、以下の実施の形態において、個数、量などに言及する場合、特に記載がある場合を除き、上記個数などは例示であり、本発明の範囲は必ずしもその個数、量などに限定されない。
【００１７】
（実施の形態１）
図１は、血圧測定装置の外観を示す全体斜視図である。図２は、血圧測定装置の内部構成の概略を示すブロック図である。図１および図２を参照して、家庭用の血圧測定装置（以下、単に血圧計とも言う）の概略構成について説明する。本実施の形態の血圧計は、血圧測定のための制御装置が内蔵された本体部１と、被測定者の血圧測定部位に装着されて空気圧により血圧測定部位を加圧するためのカフ２と、本体部１およびカフ２を連結するエア管３とを備える。
【００１８】
図１に示すように、本体部１は、被測定者が表示内容を確認可能なように設けられた表示部４と、被測定者が外部から操作可能なように設けられた操作部３０とを、外表面に有している。カフ２は、本体部１から送り出されエア管３を経由して移送される空気が充填され溜められるとともに、測定部位（上腕部）の動脈を圧迫するために用いられる、圧迫用の空気袋２１を有する。またカフ２は、圧迫用空気袋２１をその内面側に設け、測定部位（上腕部）に装着するための帯状のバンド２６、およびバンド２６を上腕部に巻回して固定するための面ファスナ２７を有する。
【００１９】
図２に示すように、本体部１は、空気袋２１内の圧力を検出する圧力検出部としての圧力センサ１４と、発振回路１５とを備える。圧力センサ１４は、カフ２に内蔵された空気袋２１を介在させて検出される被測定部位の脈圧の変化を、脈波の信号として出力する。発振回路１５は、圧力センサ１４から出力される脈波信号を示す電圧信号に従う周期の、パルス信号を出力する。また本体部１は、空気袋２１による加圧（空気圧）レベルを調整するためのポンプ１６および弁１８と、ポンプ１６を駆動するポンプ駆動回路１７と、弁１８の開閉を調整するための弁駆動回路１９とを備える。エアーポンプとしてのポンプ１６は、空気袋２１に気体（空気）を移送させる。流量コントロール弁としての弁１８は、空気袋２１から排出される気体の流量を制御する。
【００２０】
本体部１はさらに、表示部４、メモリ１２、操作部３０、計時動作して計時データを出力する電波時計１３、記録媒体アクセス部２２、通信Ｉ／Ｆ（インターフェイスの略）２３、スピーカ２４、音声データメモリ２５およびバッテリ２９、ならびにこれら各部を制御するＣＰＵ（Central Processing Unit）２０を備える。ＣＰＵ２０は、発振回路１５から入力するパルス信号に基づいて、被測定者の血圧値、脈拍数などを算出する。空気袋２１と、圧力センサ１４、ポンプ１６および弁１８とは、エア管３によって接続されている。なお、本体部１に含まれる各部に供給される駆動用の電源は、バッテリ２９に替えて商用電源から供給されるようにしてもよい。
【００２１】
操作部３０は、電源スイッチ５、測定スイッチ６、７および８、メモスイッチ９、通信スイッチ１０およびリスク表示スイッチ１１を有する。電源スイッチ５は、本体部１の電源をＯＮ／ＯＦＦするために操作される。測定スイッチ６、７および８のそれぞれは、血圧測定の開始を指示するために操作される。測定スイッチ６は血圧測定が就寝前、たとえば就寝前１時間以内に行なわれる場合において操作され、同様に測定スイッチ７は起床後、たとえば起床後１時間以内に血圧測定が行なわれる場合において操作され、測定スイッチ８はその他の時間帯に血圧測定されるときに操作される。
【００２２】
メモスイッチ９は、血圧測定が特別の状況で行なわれた場合に操作される。たとえば、被測定者は、処方された薬剤を服用後に血圧測定することを医家より指示されていた場合において、薬剤を服用し忘れた状態で血圧測定したときに、メモスイッチ９を操作する。このとき、メモスイッチ９が操作されたことにより、薬剤を服用しない状態での血圧測定結果であることを示す情報が血圧測定結果に付加されて、血圧測定結果がメモリ１２に記録される。通信スイッチ１０は、本体部１により測定された結果データを、通信により外部装置に送信する場合に操作される。リスク表示スイッチ１１は、本体部１による測定結果データに基づく心血管リスクの情報を、表示部４に表示するために操作される。
【００２３】
記録媒体アクセス部２２は、ＣＰＵ２０の制御のもとに、本体部１に形成された図示しない記録媒体装着部に装填された記録媒体よりデータを読出し、または記録媒体にデータを書き込む。通信Ｉ／Ｆ２３は、ＣＰＵ２０の制御のもとに、ケーブルを介在させて外部装置と通信する。メモリ１２には、測定結果データ、血圧測定動作、表示部４による表示動作、通信動作などを制御するための各種プログラムおよびデータが格納される。
【００２４】
上記構成からなる血圧計において、被測定者の血圧を測定する場合には、カフ２が被測定者の血圧測定部位（上腕）に装着される。ＣＰＵ２０の制御のもとに、弁１８を閉状態にして、ポンプ１６から吐出される空気がすべて空気袋２１へ流出するようにして、空気袋２１を加圧する。一方、弁１８を開状態にして、空気袋２１内の空気を弁１８を介して外部へ放出して、空気袋２１を減圧する。このときＣＰＵ２０は、発振回路１５から出力されたパルス信号（圧力信号）をデジタルデータに変換した後、当該データについて所定のアルゴリズムを適用して最高血圧および最低血圧を決定するとともに、脈拍数を算出する。
【００２５】
図３は、電波時計の概略構成を示すブロック図である。本体部１の内部に搭載された電波時計１３は、図３に示すように、アンテナ３１と、受信回路３２と、時計信号解析回路３３とを有する。ＣＰＵ２０は、所定時刻ごとに、または外部から電波受信命令が入力されたときに、受信回路３２および時計信号解析回路３３を制御して、時刻情報を含む所定の周波数の標準電波（たとえば、４０ｋＨｚまたは６０ｋＨｚのＪＪＹ標準電波に代表される長波）を、アンテナ３１より受信させる。
【００２６】
受信回路３２は、アンテナ３１により受信された標準電波の受信信号から不要な成分をカットして、目的とする周波数信号を抽出する。時計信号解析回路３３は、受信回路３２で抽出された周波数信号を計数して、正確な現在時刻を計時する。この現在時刻のデータがＣＰＵ２０に伝送されて、表示部４に表示されるとともに、被測定者が血圧を測定した際には測定時刻が血圧測定結果に付加されてメモリ１２に記録される。
【００２７】
図４は、血圧計の本体部内に搭載された各機器の配置について示す斜視図である。図５は、図４に示す各機器を、図４中の矢印Ｖ方向から見た側面図である。図４および図５に示すように、血圧計の本体部１の内部には、第一基板としての基板４１と、第二基板としての基板４２と、ポンプ１６とが設置されている。基板４１と基板４２とは、互いに異なる別々の基板として、本体部１の内部に設けられている。
【００２８】
基板４１には、図２に示す圧力センサ１４が搭載されている。圧力センサ１４は、周知の静電容量式のセンサであって、金属製の遮蔽ケース４３によって周囲が覆われている。圧力センサ１４は周辺の機器類から発生する電磁波の影響を受け易いために、電磁シールドとして、かつ圧力センサ１４の機械的な保護を目的として、遮蔽ケース４３が圧力センサ１４の周囲に配置されている。また、基板４２には、電波時計１３の一部品を構成するアンテナ３１が搭載されている。
【００２９】
圧力センサ１４および遮蔽ケース４３は、平板状の基板４１の一方側の面であるセンサ搭載面４１ａに搭載されている。センサ搭載面４１ａ、および、センサ搭載面４１ａと反対側の基板４１の他方側の面であるセンサ非実装面４１ｂには、金属により配線が形成されており、また種々の金属製の電子部品が搭載されている。基板４１のセンサ搭載面４１ａとセンサ非実装面４１ｂとは、金属体により形成された金属面となっている。
【００３０】
アンテナ３１は、平板状の基板４２の一方側の面であるアンテナ搭載面４２ａに搭載されている。アンテナ搭載面４２ａ、および、アンテナ搭載面４２ａと反対側の基板４２の他方側の面であるアンテナ非実装面４２ｂには、金属により配線が形成されており、また種々の金属製の電子部品が搭載されている。基板４２のアンテナ搭載面４２ａとアンテナ非実装面４２ｂとは、金属体により形成された金属面となっている。
【００３１】
基板４１の圧力センサ１４が搭載された側と反対側のセンサ非実装面４１ｂと、基板４２のアンテナ３１が搭載された側のアンテナ搭載面４２ａとは、互いに対向している。基板４１および基板４２は、センサ非実装面４１ｂとアンテナ搭載面４２ａとが互いに面するように、積層されて配置されている。基板４１，４２は、血圧計の本体部１の内部において、対向配置されている。
【００３２】
従来の血圧計と比較して、アンテナ３１を従来の血圧計用の基板に追加して搭載すると、基板の表面積が大きくなる。基板の表面積が大きくなると、血圧計の本体部１の内部における基板の占有体積が大きくなり、本体部１の筐体が大型化してコストも増大するため望ましくない。そこで、本実施の形態では、電波時計１３のアンテナ３１が搭載された基板４２が、圧力センサ１４などの血圧計を構成する機器類が搭載されたメイン基板としての基板４１から分けられている。
【００３３】
アンテナ３１を有する基板４２は、基板４１から分離されている。かつ、基板４１，４２は、同一平面上に配置されておらず、互いに対面するように積層されて配置されている。基板４１が基板４２に対して傾斜して配置されており、基板４１の傾斜によって基板４１のセンサ非実装面４１ｂの下側に形成された空間内に基板４２が配置されている。基板４１と基板４２とは、後述するポンプ１６の軸線である中心線ＣＬ２が基板４１，４２の間にあるように、配置されている。このようにすれば、本体部１内の基板４１，４２の占有体積を減少させることができるので、本体部１の筐体を小型化でき、血圧計全体をコンパクト化することができる。
【００３４】
かつ、血圧計の本体部１の筐体内部における、メイン基板である基板４１の搭載角度に関わらず、アンテナ３１が搭載された基板４２を、血圧計が設置される設置面に対して平行に配置することができる。この設置面が大地に対して水平であれば、すなわち血圧計を水平な定盤上に載置すれば、基板４２を水平に設置することができる。第二基板としての基板４２を水平に設置することにより、アンテナ３１を水平に設置することができる。電波時計信号を送信している標準電波は、水平偏波で送信されている。標準電波を受信するアンテナ３１は、指向性を有する。そこで、水平偏波の標準電波を効率よく受信するためには、アンテナ３１を地面に対して水平（横向き）に設置して使用するのが望ましい。つまり、基板４２を水平に設置することにより、アンテナ３１が標準電波を良好に受信でき、アンテナ３１による標準電波の受信性能をより向上できるので望ましい。
【００３５】
図６は、電波時計のアンテナの概略構成を示す分解斜視図である。図６に示すように、アンテナ３１は、電波受信感度の良好なアモルファス金属やフェライトなどの磁性体で形成された棒状のコア５１と、表面を絶縁被覆した銅線などがコア５１の周囲に巻回されたコイル５２とを有する。コア５１はアンテナ３１の軸として機能する。コア５１とコイル５２とは、アンテナ構造体に含まれる。アンテナ３１はまた、コア５１およびコイル５２を覆うアンテナケース５３を有する。アンテナ構造体は、アンテナケース５３の内部に収容された状態で、基板４２のアンテナ搭載面４２ａに固定される。
【００３６】
コア５１は、長手方向を有し、当該長手方向に直交する横断面の形状は、図６に示すように矩形状に形成されている。角棒状のコア５１の長手方向両端部における横断面の中心点を結ぶ直線は、コア５１の中心線ＣＬ１を形成する。中心線ＣＬ１は、コア５１の延在方向を示している。なお、コア５１の横断面は、矩形に限られず、円形状や長円形状などの他の形状に形成されていてもよい。
【００３７】
図７は、電波時計のコア周辺の磁界を示す模式図である。図７に示す磁界ＭＦ１がコア５１の内部を通過することによって電磁誘導による起電力が発生し、磁界のエネルギーが図６に示すコイル５２により電流として変換される。なお図７では、簡略化のためコイル５２は図示を省略されている。
【００３８】
コア５１の周辺に、図７に示す棒状のコア５１周りの磁界ＭＦ１を示す磁力線の方向に略直交する金属体が配置されていると、磁界ＭＦ１は当該金属体によって遮断されてしまう。たとえば基板４１が基板４２に対し直交し、センサ搭載面４１ａまたはセンサ非実装面４１ｂがアンテナ搭載面４２ａに対する垂直面として配置されていると、基板４１の金属面がシールドとなることにより磁界ＭＦ１は遮断されてしまい、磁界ＭＦ１が乱される。アンテナ３１側の磁界ＭＦ１が乱されると、標準電波の入力値が低下し、受信感度が低下するという問題が生じる場合がある。
【００３９】
そこで、本実施の形態では、アンテナ３１が搭載されている基板４２および他の基板４１は、センサ非実装面４１ｂが基板４２のアンテナ搭載面４２ａと対向し、センサ非実装面４１ｂとアンテナ搭載面４２ａとの間には所定の間隔が形成されるように配置されている。基板４１，４２は、基板４１の表面に形成されている金属面によってコア５１周りの磁界ＭＦ１が遮断されることを抑制できるように、配置されている。これにより、基板４２に搭載されるアンテナ３１に対する、基板４１の金属面および圧力センサ１４の遮蔽ケース４３の影響を軽減でき、磁界ＭＦ１が基板４１または遮蔽ケース４３などの金属体によって遮断されることを抑制できる。したがって、アンテナ３１による標準電波の受信性能の低下を抑制することができる。
【００４０】
図８は、ポンプの概略構成を示す断面模式図である。図８に示すように、ポンプ１６は、ケース内にポンプ室を形成するゴム状のダイヤフラムを備え、ポンプ室の容積変化により気体を輸送するダイヤフラムポンプである。ポンプ１６の下部には、小型の直流モータであるモータ１０２が設けられている。モータ１０２には、モータ１０２の回転運動によって回転する出力軸１０３が取り付けられている。出力軸１０３は、ポンプ１６の下部ケース１０４の内部まで延びている。出力軸１０３は、上下方向に延在している。
【００４１】
出力軸１０３の端部には、回転体１０５が固定されている。回転体１０５は、出力軸１０３と一体となって回転運動する。回転体１０５には、駆動軸１０６が固定されている。駆動軸１０６の回転体１０５に固定されている一方の端部である基端は、出力軸１０３の回転中心の延長線から離れて位置している。一方、駆動軸１０６の他方の端部側は、その中心軸の延長線が出力軸１０３の回転中心の延長線と交差している。そのため、駆動軸１０６は出力軸１０３に対して傾斜している。駆動軸１０６は、上下方向に対して傾斜する方向に延在している。
【００４２】
駆動軸１０６の先端側には、駆動体１０７が回転可能に挿通されている。駆動体１０７は、平面形状が円形状に形成されている。駆動体１０７には、たとえば３個の貫通穴１０８が、互いに１２０°間隔に形成されている。駆動体１０７の下方には、駆動軸１０６の延びる方向に延在する筒状の支持部１０９が形成されており、駆動軸１０６の先端部は支持部１０９の中央に設けられた穴に回転可能に挿通されている。下部ケース１０４の上側には、上部ケース１１０が設置されている。上部ケース１１０は、その下端部において下部ケース１０４の上端部に、螺子作用などにより固定されている。
【００４３】
上部ケース１１０の上側には、ダイヤフラム本体１１１が設けられている。ダイヤフラム本体１１１は、柔らかく薄いゴムなどの弾性材などにより形成されており、円板状に成形されている。ダイヤフラム本体１１１の下方には、１２０°の等しい角度間隔で形成されたポンプ室１１２が形成されている。上部ケース１１０は、ポンプ室１１２の周囲を囲むように配置されている。
【００４４】
ポンプ室１１２の下方には、釣鐘形の駆動部１１３が設けられている。駆動部１１３の先端には、細い頚部を介在させて頭部１１４が形成されている。駆動体１０７に形成された貫通穴１０８を頭部１１４が貫通し、上記頚部が貫通穴１０８の内部に位置するように配置されて、駆動体１０７にダイヤフラム本体１１１が組みつけられている。駆動部１１３の外周部には、伸縮自在に設けられた薄膜状のダイヤフラム部１１５が取り付けられている。ダイヤフラム部１１５は、ポンプ室１１２の円形の平面形状の周縁部を形成するダイヤフラム本体１１１と、駆動部１１３の外周部とを、気密状態に連結する。
【００４５】
ダイヤフラム本体１１１の上側には、ポンプ室１１２を上側から覆ってポンプ室１１２を蓋する、バルブハウジング１１７が設けられている。ポンプ室１１２は、駆動部１１３、ダイヤフラム部１１５、ダイヤフラム本体１１１およびバルブハウジング１１７によって、囲まれるように形成されている。
【００４６】
バルブハウジング１１７のさらに上側には、集気体１１９が設けられている。バルブハウジング１１７の上側には、アンブレラ弁１２０が設置されている。アンブレラ弁１２０は、弁体１２１と頭部１２２とを有する。頭部１２２がバルブハウジング１１７に形成された貫通穴を貫通して、バルブハウジング１１７にアンブレラ弁１２０が組み付けられている。アンブレラ弁１２０は、ポンプ室１１２の内部に向かう空気の流れを許容するとともに、その逆方向への流れを禁止する逆止弁として機能する。
【００４７】
ダイヤフラム本体１１１から集気体１１９の壁面に沿って上側へ延びるように、吐出弁１３０が形成されている。吐出弁１３０は、ポンプ室１１２から外部に排出される空気の流れを許容するとともに、その逆方向への流れを禁止する逆止弁として機能する。このポンプ１６によって輸送される空気は、集気体１１９の内部に形成された空気室１４１を経由して、排気部１４２から外部へと流れる。
【００４８】
下部ケース１０４、上部ケース１１０およびダイヤフラム本体１１１によって囲まれた空間は、ポンプ１６の内部空間を形成する。ポンプ１６の内部空間とポンプ１６の外部とを連通する吸気路が、下部ケース１０４または上部ケース１１０の少なくともいずれか一方の一箇所または複数箇所に形成されている。ポンプ１６の内部空間には、上記吸気路を経由して、系外から大気が流入する。
【００４９】
ダイヤフラム本体１１１と駆動部１１３とは、薄膜状のダイヤフラム部１１５によって気密状態に連結されている。そのため、ポンプ１６の内部空間と、ポンプ室１１２とは、別空間とされている。ポンプ室１１２は、アンブレラ弁１２０の弁体１２１がバルブハウジング１１７から離れて、アンブレラ弁１２０が開状態となるときに限り、バルブハウジング１１７に形成された通気路を経由して、ポンプ１６の外部空間と連通される構造に形成されている。
【００５０】
図８には、出力軸１０３の軸線（すなわち、モータ１０２の軸線）である中心線ＣＬ２が一点鎖線で図示されている。ポンプ１６を作動させるアクチュエータとして機能するモータ１０２が中心線ＣＬ２回りに回転することにより、図９に示すように、ポンプ１６の内部を中心線ＣＬ２に沿う方向に通過する磁界ＭＦ２が形成される。なお図９は、ポンプ周辺の磁界を示す模式図である。
【００５１】
図４に示すように、電波時計のアンテナ３１のコア５１の中心線ＣＬ１と、ポンプ１６の中心線ＣＬ２とが直交するように、アンテナ３１およびポンプ１６は配置されている。ポンプ１６の出力軸１０３に対してコア５１が垂直に配置されるように、アンテナ３１が搭載された基板４２が設置される。このような配置とすることにより、ポンプ１６の駆動により発生する磁界ＭＦ２がコア５１周囲の磁界ＭＦ１に干渉することを抑制できる。つまり、磁界ＭＦ２が磁界ＭＦ１に影響して磁界ＭＦ１に乱れを発生させることを抑制することができる。磁界ＭＦ１がポンプ１６によって干渉を受けることを抑制できるので、アンテナ３１による標準電波の受信性能の低下を抑制することができる。
【００５２】
（実施の形態２）
図１０は、実施の形態２の、血圧計の本体部内に搭載された各機器の配置について示す斜視図である。図１１は、図１０に示す各機器を、図１０中の矢印ＸＩ方向から見た側面図である。実施の形態２では、実施の形態１で説明したポンプ１６に替えて、血圧計の本体部１の内部における、基板４１，４２に対する弁１８の配置が特定されている。
【００５３】
図１２は、弁の概略構成を示す断面模式図である。図１２に示すように、弁１８は、血圧計においてカフ２の空気袋２１から排出される気体流量を制御し、空気袋２１内の圧力を徐々に低下させるために使用される流量コントロール弁である。流量コントロール弁は、２個の永久磁石２０５ａ，２０５ｂと、３個の電磁コイル２０６ａ，２０６ｂ，２０６ｃとを使用する電磁駆動弁で、フレームケース２０２およびボビン２０７の後部でハウジングが構成される。このハウジング（フレームケース２０２）には、ノズル状の内管２０１が内部に開口する気体流入口２０１ａと、この気体流入口２０１ａに内部空間により連通する複数（ここでは３つ）の気体流出口２０１ｂとが形成されている。
【００５４】
ハウジング内において、中空の作動軸（可動部材）２０４が気体流入口２０１ａに対して進退可能に配置され、作動軸２０４の移動により気体流入口２０１ａを開閉するように気体流入口２０１ａに相対する作動軸２０４の先端にオリフィスパッキン（開閉部材）２０３が取付けられている。
【００５５】
作動軸２０４の内部の中空部には非磁性体の固定軸２１２が挿通され、固定軸２１２はボビン２０７に一体に固定されている。作動軸２０４の外周には、永久磁石２０５ａ，２０５ｂ、ヨーク２２２ａおよび弾性体２２１ａ，２２１ｂが止め輪２２４で固定されている。したがって、作動軸２０４は、永久磁石２０５ａ，２０５ｂおよびヨーク２２２ａなどと一体に移動し、オリフィスパッキン２０３が気体流入口２０１ａに当たって気体流入口２０１ａを完全に閉塞するまでと、作動軸２０４の後端部がボビン２０７に設けられたストッパ２０７ｅに当たるまでとの範囲で移動可能であり、固定軸２１２に沿って直線的に移動する。
【００５６】
永久磁石２０５ａの端面に対向して配置された弾性体２２１ａは、ここでは作動軸２０４と永久磁石２０５ａとで挟持され、永久磁石２０５ｂの端面に対向して配置された弾性体２２１ｂは、ここでは止め輪２２４と永久磁石２０５ｂとで挟持されている。永久磁石２０５ａ，２０５ｂの周囲にはボビン２０７が配置され、ボビン２０７には３個の電磁コイル２０６ａ，２０６ｂ，２０６ｃが設けられている。
【００５７】
各電磁コイル２０６ａ，２０６ｂ，２０６ｃにおいては、作動軸２０４が各電磁コイル２０６ａ，２０６ｂ，２０６ｃと各永久磁石２０５ａ，２０５ｂとによる電磁力の合成力を移動方向に受けるように、巻回方向が設定されている。具体的には、ここでは真中の電磁コイル２０６ｂの巻回方向は右回転で、両側の電磁コイル２０６ａ，２０６ｃの巻回方向は左回転で、それぞれボビン２０７に設けられ、巻回方向が交互に逆向きになっている。つまり、電磁コイル２０６ｂに隣接する電磁コイル２０６ａ，２０６ｃには、電磁コイル２０６ｂとは電流が逆向きに流れる。なお、電磁コイル２０６ａ，２０６ｂ，２０６ｃは外部ターミナル２１１に接続されている。
【００５８】
また、真中の電磁コイル２０６ｂの中央部２４０に対して、永久磁石２０５ａ，２０５ｂはほぼ左右均等に配置されている。３個の電磁コイル２０６ａ，２０６ｂ，２０６ｃの周囲にはヨーク２２３が設けられ、円筒状のヨーク２２３の内側に電磁コイル２０６ａ，２０６ｂ，２０６ｃ、永久磁石２０５ａ，２０５ｂ、作動軸２０４および固定軸２１２が位置する様態である。さらに作動軸２０４はダンパ２０９によりフレームケース２０２に連結され、ダンパ２０９のバネ作用により図１２中の右方向に付勢されている。
【００５９】
上記のように構成された流量コントロール弁の動作について説明する。外部ターミナル２１１より電磁コイル２０６ａ，２０６ｂ，２０６ｃに所定値の電流を流すことによって、各電磁コイル２０６ａ，２０６ｂ，２０６ｃと各永久磁石２０５ａ，２０５ｂとにより電磁力を発生させ、永久磁石２０５ａ，２０５ｂと電磁コイル２０６ａ，２０６ｂ，２０６ｃとの磁極の反発および吸引作用を利用して、永久磁石２０５ａ，２０５ｂに図１２中の左方向の推力を作用させる。
【００６０】
この推力によって、永久磁石２０５ａ，２０５ｂが取付けられた作動軸２０４は、ダンパ２０９の反発力に打ち勝って図１２中の左方向に力強く移動し、図１３に示すようにオリフィスパッキン２０３が気体流入口２０１ａに当接し、内管２０１が完全な閉塞状態になる。なお図１３は、気体流入口が完全に閉塞した状態を示す部分拡大断面図である。
【００６１】
内管２０１の閉塞状態後に、電磁コイル２０６ａ，２０６ｂ，２０６ｃへの供給電流を少しずつ減少させると、この電流に応じて電磁力が漸次弱まる。そのため、永久磁石２０５ａ，２０５ｂが受ける推力が低下し、作動軸２０４は、ダンパ２０９の弾性力によって徐々に図１２中の右方向に移動し、オリフィスパッキン２０３が気体流入口２０１ａからゆっくりと離れる。結果として気体流入口２０１ａは微細且つ連続的に開放されていき、やがて図１４に示すように、完全な開放状態となる。なお図１４は、気体流入口が完全に開放された状態を示す部分拡大断面図である。
【００６２】
オリフィスパッキン２０３は、作動軸２０４の先端に取り付けられており、作動軸２０４とともに、作動軸２０４が延在する軸線方向である図１２〜図１４中の左右方向に往復運動する。オリフィスパッキン２０３は、気体流入口２０１ａに当接することにより弁１８を閉状態とし、また気体流入口２０１ａから離れることにより弁１８を開状態にする。オリフィスパッキン２０３は、弁１８の弁体として機能している。
【００６３】
固定軸２１２の軸線方向である、弁１８の中心線ＣＬ３を図１２中に一点鎖線で示す。中心線ＣＬ３は、弁１８の弁体であるオリフィスパッキン２０３の往復移動方向を示している。電磁駆動弁である弁１８の内部において、永久磁石２０５ａ，２０５ｂと電磁コイル２０６ａ，２０６ｂ，２０６ｃとは、中心線ＣＬ３回りに設置されている。そのため、弁１８の内部を中心線ＣＬ３に沿う方向に通過する磁界が形成される。図９に示すポンプ１６と同様に、弁１８によって発生する磁界の方向は、弁１８の内部を中心線ＣＬ３に沿うように通過する方向である。
【００６４】
図１０に示すように、電波時計のアンテナ３１のコア５１の中心線ＣＬ１と、弁１８の中心線ＣＬ３とが直交するように、アンテナ３１および弁１８は配置されている。弁１８の固定軸２１２に対してコア５１が垂直に配置されるように、アンテナ３１が搭載された基板４２が設置される。このような配置とすることにより、弁１８の駆動により発生する磁界がコア５１周囲の磁界ＭＦ１に干渉して磁界ＭＦ１に乱れを発生させる影響を抑制することができる。磁界ＭＦ１が弁１８によって干渉を受けることを抑制できるので、アンテナ３１による標準電波の受信性能の低下を抑制することができる。
【００６５】
（実施の形態３）
図１５は、実施の形態３の、血圧計の本体部内に搭載された各機器の配置について示す斜視図である。図１６は、図１５に示す各機器を、図１５中の矢印ＸＶＩ方向から見た側面図である。実施の形態３では、実施の形態１で説明した各機器の配置に加えて、血圧計の本体部１の内部における、基板４１，４２に対する弁１８の配置が特定されている。
【００６６】
図１５および図１６に示すように、弁１８は、アンテナ３１に対して第二基板としての基板４２を介在させて配置されている。弁１８とアンテナ３１との間には、基板４２が介在している。また弁１８は、基板４２の下側に設置されている。弁１８は、基板４２のアンテナ搭載面４２ａと反対側のアンテナ非実装面４２ｂと対向するように、配置されている。弁の中心線ＣＬ３が基板４２と平行になるように、弁１８は配置されている。このように弁１８とアンテナ３１との配置を定めることにより、アンテナ３１は、基板４２のアンテナ非実装面４２ｂの金属面によって、弁１８が駆動するときに形成される磁界から遮蔽される。そのため、アンテナ３１回りの磁界ＭＦ１に干渉することを一層抑制できる。
【００６７】
実施の形態１および２と同様に、アンテナ３１の延在方向を示すコア５１の中心線ＣＬ１とポンプ１６の中心線ＣＬ２とが直交するように、かつ、中心線ＣＬ１と弁１８の中心線ＣＬ３とが直交するように、アンテナ３１、ポンプ１６および弁１８は配置されている。したがって、ポンプ１６の駆動および弁１８の駆動により発生する磁界がコア５１周囲の磁界ＭＦ１に干渉して磁界ＭＦ１に乱れを発生させる影響を抑制することができる。磁界ＭＦ１がポンプ１６および弁１８によって干渉を受けることを抑制できるので、アンテナ３１による標準電波の受信性能の低下を抑制することができる。
【００６８】
（実施の形態４）
図１７は、実施の形態４の、血圧計の本体部内に搭載された各機器の配置について示す斜視図である。図１８は、図１７に示す各機器を、図１７中の矢印ＸＶＩＩＩ方向から見た側面図である。実施の形態４では、基板４１，４２の配置が実施の形態３と異なっており、具体的には、基板４１と基板４２とは平行に設置されている。
【００６９】
基板４１，４２が平行となるように設置されていても、アンテナ３１が搭載されている基板４２および他の基板４１は、センサ非実装面４１ｂが基板４２のアンテナ搭載面４２ａと対向し、センサ非実装面４１ｂとアンテナ搭載面４２ａとの間には所定の間隔が形成されるように配置されている。基板４１，４２は、基板４１の表面に形成されている金属面によってコア５１周りの磁界ＭＦ１が遮断されることを抑制できるように、配置されている。したがって、磁界ＭＦ１が基板４１によって遮断されることを抑制できるので、アンテナ３１による標準電波の受信性能の低下を抑制することができる。
【００７０】
本体部１内のスペースに対応して、基板４１，４２は、実施の形態１で説明したように互いに傾斜して配置されてもよく、本実施の形態のように平行に配置されてもよい。本体部１内の基板４１，４２の占有体積をより減少できるように基板４１，４２を配置することによって、本体部１の筐体を一層小型化でき、血圧計全体を一層コンパクト化することができる。
【００７１】
（実施の形態５）
図１９は、実施の形態５の、血圧計の本体部内に搭載された各機器の配置について示す斜視図である。図１９では、アンテナ３１が搭載された基板４２および弁１８のみが図示されており、基板４１およびポンプ１６は図示を省略されている。実施の形態５では、弁１８は基板４２の上側に設置されている点において実施の形態３および４と異なるものの、弁１８がアンテナ３１に対して基板４２を介在させて配置されており、弁１８とアンテナ３１との間には基板４２が介在している点は実施の形態３および４と同様である。
【００７２】
このように弁１８とアンテナ３１との配置を定めることにより、実施の形態３および４と同様に、アンテナ３１は、基板４２のアンテナ非実装面４２ｂの金属面によって、弁１８が駆動するときに形成される磁界から遮蔽される。そのため、アンテナ３１回りの磁界ＭＦ１に干渉することを一層抑制できる。
【００７３】
以上のように本発明の実施の形態について説明を行なったが、各実施の形態の構成を適宜組合せてもよい。また、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【図面の簡単な説明】
【００７４】
【図１】血圧測定装置の外観を示す全体斜視図である。
【図２】血圧測定装置の内部構成の概略を示すブロック図である。
【図３】電波時計の概略構成を示すブロック図である。
【図４】血圧計の本体部内に搭載された各機器の配置について示す斜視図である。
【図５】図４に示す各機器を、図４中の矢印Ｖ方向から見た側面図である。
【図６】電波時計のアンテナの概略構成を示す分解斜視図である。
【図７】電波時計のコア周辺の磁界を示す模式図である。
【図８】ポンプの概略構成を示す断面模式図である。
【図９】ポンプ周辺の磁界を示す模式図である。
【図１０】実施の形態２の、血圧計の本体部内に搭載された各機器の配置について示す斜視図である。
【図１１】図１０に示す各機器を、図１０中の矢印ＸＩ方向から見た側面図である。
【図１２】弁の概略構成を示す断面模式図である。
【図１３】気体流入口が完全に閉塞した状態を示す部分拡大断面図である。
【図１４】気体流入口が完全に開放された状態を示す部分拡大断面図である。
【図１５】実施の形態３の、血圧計の本体部内に搭載された各機器の配置について示す斜視図である。
【図１６】図１５に示す各機器を、図１５中の矢印ＸＶＩ方向から見た側面図である。
【図１７】実施の形態４の、血圧計の本体部内に搭載された各機器の配置について示す斜視図である。
【図１８】図１７に示す各機器を、図１７中の矢印ＸＶＩＩＩ方向から見た側面図である。
【図１９】実施の形態５の、血圧計の本体部内に搭載された各機器の配置について示す斜視図である。
【符号の説明】
【００７５】
１  本体部、２  カフ、３  エア管、４  表示部、１３  電波時計、１４  圧力センサ、１６  ポンプ、１８  弁、１９  弁駆動回路、２０  ＣＰＵ、２１  空気袋、２６  バンド、２７  面ファスナ、３１  アンテナ、３２  受信回路、３３  時計信号解析回路、４１，４２  基板、４１ａ  センサ搭載面、４１ｂ  センサ非実装面、４２ａ  アンテナ搭載面、４２ｂ  アンテナ非実装面、４３  遮蔽ケース、５１  コア、５２  コイル、５３  アンテナケース、ＣＬ１，ＣＬ２，ＣＬ３  中心線、ＭＦ１，ＭＦ２  磁界。
【図１】
2010057628.tif 000003
【図２】
2010057628.tif 000004
【図３】
2010057628.tif 000005
【図４】
2010057628.tif 000006
【図５】
2010057628.tif 000007
【図６】
2010057628.tif 000008
【図７】
2010057628.tif 000009
【図８】
2010057628.tif 000010
【図９】
2010057628.tif 000011
【図１０】
2010057628.tif 000012
【図１１】
2010057628.tif 000013
【図１２】
2010057628.tif 000014
【図１３】
2010057628.tif 000015
【図１４】
2010057628.tif 000016
【図１５】
2010057628.tif 000017
【図１６】
2010057628.tif 000018
【図１７】
2010057628.tif 000019
【図１８】
2010057628.tif 000020
【図１９】
2010057628.tif 000021